(57)【要約】【課題】指を大きく動かすことなく離れた位置にあるアイコンを選択することができるとともに、アイコンを選択するために指を動かす回数を削減することができる携帯電子機器を提供する。【解決手段】タッチパネル２の表示変化Ｘ，Ｙ領域２０の上空の表示変化Ｚ領域２６に存在する指１０を検出し、検出した指１０が当該領域に所定の時間継続して存在する場合、表示変化Ｘ，Ｙ領域２０に対応する部分に表示する画面全体を所定の速さで移動させる。その後、指１０がタッチパネル２により近づく表示変化停止Ｚ領域２７に入ったことを検出すると、画面全体の移動を停止させる。さらに、その後、指１０がタッチパネル２から離れる方向に戻されて、表示変化再開Ｚ領域２８に入ったことを検出すると、画面全体の移動を再開させる。【選択図】図４
2014081733.tif 000002
【特許請求の範囲】
【請求項１】
表示部と、
前記表示部に重ねて配置され、指示体との間の距離を検出可能なタッチパネルと、を備え、
前記タッチパネルの所定の領域において、前記距離が第１の距離以下であり、かつ、前記第１の距離より小さい第２の距離より大きい場合が所定の時間継続する場合、前記表示部の画面全体が移動し始め、
前記所定の領域において、前記距離が第１の距離以下であり、かつ、前記第２の距離より大きい場合が前記所定の時間継続する前に前記距離が前記第２の距離より小さくなる場合、前記表示部の画面全体は移動しない、
携帯電子機器。
【請求項２】
請求項１に記載の携帯電子機器であって、
前記表示部の画面全体の移動は、連続的な移動である、
携帯電子機器。
【請求項３】
請求項１に記載の携帯電子機器であって、
前記表示部の画面全体の移動は、離散的な移動である、
携帯電子機器。
【請求項４】
請求項１から請求項３のいずれか１項に記載の携帯電子機器であって、
前記表示部は、平面視略長方形であって、
前記画面全体の移動の方向は、前記平面視略長方形の短手方向に沿った方向である、
携帯電子機器。
【請求項５】
請求項１から請求項３のいずれか１項に記載の携帯電子機器であって、
前記表示部は、平面視略長方形であって、
前記画面全体の移動の方向は、前記平面視略長方形の長手方向に沿った方向である、
携帯電子機器。
【請求項６】
請求項１から請求項３のいずれか１項に記載の携帯電子機器であって、
前記画面全体の移動の方向は、所定の点を中心とした回転方向に沿った方向である、
携帯電子機器。
【請求項７】
請求項１から請求項６のいずれか１項に記載の携帯電子機器であって、
前記タッチパネルの所定の領域において、前記距離が前記第１の距離以下であり、かつ、前記第２の距離より大きい場合が、所定の時間継続する場合、前記表示部における表示の変化が始まり、
その後に少なくとも、前記距離が、前記第２の距離以下であり、かつ  前記第２の距離より小さい第３の距離より大きくなった場合、前記表示部における表示の変化は停止する、
携帯電子機器。
【請求項８】
請求項７に記載の携帯電子機器であって、
前記タッチパネルの所定の領域において、前記距離が前記第１の距離以下であり、かつ、前記第２の距離より大きい場合が、所定の時間継続する場合、前記表示部における表示の変化が始まり、
その後に少なくとも、前記距離が、前記第２の距離以下であり、かつ  前記第３の距離より大きくなった場合、前記表示部における表示の変化は停止し、
その後に前記距離が、前記第２の距離以上前記第１の距離以下である第４の距離より大きくなった場合に、前記表示部における表示の変化が再開することが可能である、
携帯電子機器。
【請求項９】
請求項８に記載の携帯電子機器であって、
前記第４の距離は前記第２の距離と同じである、
携帯電子機器。
【請求項１０】
請求項７から請求項９のいずれか１項に記載の携帯電子機器であって、
前記第３の距離は、０である、
携帯電子機器。
【請求項１１】
請求項１から請求項７のいずれか１項に記載の携帯電子機器であって、
前記タッチパネルの所定の領域において、前記距離が前記第１の距離以下であり、かつ、前記第２の距離より大きい場合が、所定の時間継続する場合、前記表示部における表示の変化が始まり、
その後、前記距離が前記第１の距離以下であり、かつ、前記第２の距離より大きい場合が継続する場合、前記表示の変化の速さは、所定の速さまで上がる、
携帯電子機器。
【請求項１２】
請求項１１に記載の携帯電子機器であって、
前記所定の速さは、前記距離の違いに応じて速さが異なる、
携帯電子機器。
【請求項１３】
請求項１２に記載の携帯電子機器であって、
前記所定の速さは、前記距離の違いに応じて、少なくとも２段階で速さが異なる、
携帯電子機器。
【請求項１４】
請求項１３に記載の携帯電子機器であって、
前記所定の速さは、前記距離の違いに応じて、少なくとも、第１の速さ、前記第１の速さより速い第２の速さ、及び、前記第２の速さより遅い第３の速さに変わる、
携帯電子機器。
【請求項１５】
請求項１４に記載の携帯電子機器であって、
前記第１の速さと前記第３の速さは同じである、
携帯電子機器。
【請求項１６】
請求項１４又は請求項１５に記載の携帯電子機器であって、
前記所定の速さは、前記距離が大きい距離から小さい距離へ変わるのに応じて、前記第１の速さ、前記第２の速さ、前記第３の速さの順で変化可能な、
携帯電子機器。
【請求項１７】
請求項１２から請求項１６のいずれか１項に記載の携帯電子機器であって、
前記所定の速さは、前記距離の違いに応じて、連続的に速さが変わる、
携帯電子機器。
【発明の詳細な説明】
【技術分野】
【０００１】
本発明は、タッチパネルを搭載した携帯電子機器に関する。
【背景技術】
【０００２】
タッチパネルを搭載した携帯電子機器の一例として、特許文献１に記載されているものがある。この特許文献１に記載された携帯情報端末は、情報を表示する表示部と、前記表示部の前面に設けられたタッチパネルと、複数の情報をグループ化して記憶する記憶部と、前記表示部に前記記憶部に記憶された情報を表示する制御部とを備え、前記制御部は、タッチパネルに対して操作がなされたことを検出した場合に、前記表示部における前記記憶部中の情報の表示対象とするグループを切替えることを特徴とする。
また、近接を検知可能な情報表示装置において、近接状態において指等の操作に伴い、表示を変化させるものの一例が特許文献２（図１３等）に記載されている。この特許文献２に記載された情報表示装置は、情報を表示する表示部と、前記表示部の前面に設けられ近接状態の操作を検知できるタッチパネルと、表示部上のアイコン等の表示を制御する制御部とを備え、前記制御部は、指等の回転をタッチパネルで検知すると、その回転に伴ってアイコン等を回転させる。
【先行技術文献】
【特許文献】
【０００３】
【特許文献１】特開２０１０−１０３９１９号公報
【特許文献２】特開２００８−１１７３７１号公報
【発明の概要】
【発明が解決しようとする課題】
【０００４】
近年、スマートフォンや、スマートフォンよりも大型のディスプレイを搭載したタブレットをはじめとする携帯情報端末が目覚ましく普及しつつある。これらの携帯情報端末の多くは、処理内容を絵や記号で表現したアイコンを採用し、視認性や操作性（直感的な操作が可能）の向上を図っている。しかしながら、特に、タブレットのような画面サイズが大きくなるものでは、片手では画面上のアイコン（特に画面上部に配置されるアイコン）に触れることが困難になる。また、タブレットのみならずスマートフォンにおいても、アイコンの数が増えると、目的とするアイコンを探すために何度もスライド操作やフリック操作が必要となる。このように、画面サイズが大きくなったり、表示するアイコン数が増えたりすると、操作性が悪化するという課題がある。
【０００５】
本発明は、係る事情に鑑みてなされたものであり、指を大きく動かすことなく離れた位置にあるアイコンを選択することができるとともに、アイコンを選択するために指を動かす回数を削減することができる携帯電子機器を提供することを目的とする。
【課題を解決するための手段】
【０００６】
本発明の携帯電子機器は、表示部と、前記表示部に重ねて配置され、指示体との間の距離を検出可能なタッチパネルと、を備え、前記タッチパネルの所定の領域において、前記距離が第１の距離以下であり、かつ、前記第１の距離より小さい第２の距離より大きい場合が所定の時間継続する場合、前記表示部の画面全体が移動し始め、前記所定の領域において、前記距離が第１の距離以下であり、かつ、前記第２の距離より大きい場合が前記所定の時間継続する前に前記距離が前記第２の距離より小さくなる場合、前記表示部の画面全体は移動しない。
【０００７】
上記構成によれば、指示体（例えば“指”）を、タッチパネルの所定の領域の上空の所定の距離範囲内（第１の距離以下であり、かつ第１の距離より小さい第２の距離より大きい範囲内）に持って行って、その状態を所定の時間継続させることで、表示部の画面全体が移動し始める。
したがって、表示部の画面全体を移動することで、画面全体に多数のアイコンを表示しても、スライド操作やフリック操作を行うことなく目的とするアイコンを選択することができ、アイコンを選択するために指を動かす回数を削減することができる。また、タッチパネルの所定の領域の上空に指示体を持って行くだけの操作となるので、指示体を大きく動かすことなく離れた位置にあるアイコンを選択することができる。
更に、指示体を、タッチパネルの所定の領域の上空の所定の距離範囲内に持って行っても、その状態を所定の時間継続する前に所定の距離範囲内を通過して、タッチパネルに接近させる場合は、画面全体を移動させないことで、直ぐにアイコン等を選択することも出来る。
【０００８】
また、本発明の携帯電子機器は、前記表示部の画面全体の移動は、連続的な移動である。
【０００９】
また、本発明の携帯電子機器は、前記表示部の画面全体の移動は、離散的な移動である。
【００１０】
また、本発明の携帯電子機器は、前記表示部は、平面視略長方形であって、前記画面全体の移動の方向は、前記平面視略長方形の短手方向に沿った方向である。
【００１１】
また、本発明の携帯電子機器は、前記表示部は、平面視略長方形であって、前記画面全体の移動の方向は、前記平面視略長方形の長手方向に沿った方向である。
【００１２】
また、本発明の携帯電子機器は、前記画面全体の移動の方向は、所定の点を中心とした回転方向に沿った方向である。
【００１３】
また、本発明の携帯電子機器は、前記タッチパネルの所定の領域において、前記距離が前記第１の距離以下であり、かつ、前記第２の距離より大きい場合が、所定の時間継続する場合、前記表示部における表示の変化（画面全体の移動）が始まり、その後に少なくとも、前記距離が、前記第２の距離以下であり、かつ前記第２の距離より小さい第３の距離より大きくなった場合、前記表示部における表示の変化は停止する。
【００１４】
上記構成によれば、表示部における表示の変化が始まる範囲よりタッチパネル側に指示体を持って行くことで、表示部における表示の変化が停止する。これにより、表示の変化が停止した後に、アイコン等を選択することが出来る。
【００１５】
また、本発明の携帯電子機器は、前記タッチパネルの所定の領域において、前記距離が前記第１の距離以下であり、かつ、前記第２の距離より大きい場合が、所定の時間継続する場合、前記表示部における表示の変化が始まり、その後に少なくとも、前記距離が、前記第２の距離以下であり、かつ前記第３の距離より大きくなった場合、前記表示部における表示の変化は停止し、その後に前記距離が、前記第２の距離以上前記第１の距離以下である第４の距離より大きくなった場合に、前記表示部における表示の変化が再開することが可能である。
【００１６】
上記構成によれば、表示部における表示の変化が停止する範囲から、表示部における表示の変化が開始する範囲に指示体を戻すことで、表示部における表示の変化を再開させることができる。
【００１７】
また、本発明の携帯電子機器は、前記第４の距離は、前記第２の距離と同じである。
【００１８】
また、本発明の携帯電子機器は、前記第３の距離は、０である。
【００１９】
また、本発明の携帯電子機器は、前記タッチパネルの所定の領域において、前記距離が前記第１の距離以下であり、かつ、前記第２の距離より大きい場合が、所定の時間継続する場合、前記表示部における表示の変化が始まり、その後、前記距離が前記第１の距離以下であり、かつ、前記第２の距離より大きい場合が継続する場合、前記表示の変化の速さは、所定の速さまで上がる。
【００２０】
また、本発明の携帯電子機器は、前記所定の速さは、前記距離の違いに応じて速さが異なる。
【００２１】
また、本発明の携帯電子機器は、前記所定の速さは、前記距離の違いに応じて、少なくとも２段階で速さが異なる。
【００２２】
また、本発明の携帯電子機器は、前記所定の速さは、前記距離の違いに応じて、少なくとも、第１の速さ、前記第１の速さより速い第２の速さ、及び、前記第２の速さより遅い第３の速さに変わる。
【００２３】
上記構成によれば、変化の速さを、距離に応じて変化させることが出来るとともに、指等が、タッチパネルに近づくに伴って、低速、高速、低速の順で変化するので、唐突感の無い滑らかな速さの変化を提供することができる。
【００２４】
また、本発明の携帯電子機器は、前記第１の速さと前記第３の速さは同じである。
【００２５】
また、本発明の携帯電子機器は、前記所定の速さは、前記距離が大きい距離から小さい距離へ変わるのに応じて、前記第１の速さ、前記第２の速さ、前記第３の速さの順で変化可能である。
【００２６】
また、本発明の携帯電子機器は、前記所定の速さは、前記距離の違いに応じて、連続的に速さが変わる。
【発明の効果】
【００２７】
本発明によれば、指を大きく動かすことなく離れた位置にあるアイコンを選択することができるとともに、アイコンを選択するために指を動かす回数を削減することができる。
【図面の簡単な説明】
【００２８】
【図１】本発明の一実施の形態に係る携帯電子機器の概略構成を示すブロック図
【図２】図１の携帯電子機器の概観を示す斜視図
【図３】図１の携帯電子機器の表示例を示す図
【図４】図１の携帯電子機器のタッチパネルと指の位置関係を示す図
【図５】図１の携帯電子機器におけるアイコンの回転速さの違いをパターン分けした例を示すグラフ
【図６】図１の携帯電子機器における画面全体表示変化処理の基本的な動作を示すフローチャート
【発明を実施するための形態】
【００２９】
以下、本発明を実施するための好適な実施の形態について、図面を参照して詳細に説明する。
【００３０】
図１は、本発明の一実施の形態に係る携帯電子機器の概略構成を示すブロック図である。図２は、図１の携帯電子機器の概観を示す斜視図である。なお、本実施の形態に係る携帯電子機器１は、例えばスマートフォンと呼ばれる携帯無線機に適用したものであり、図１では無線機としての通信に関する部分を省略している。
【００３１】
図１に示すように、本実施の形態に係る携帯電子機器１は、タッチパネル２、表示部３、記憶部５及び制御部６を有する。また、図２に示すように、本実施の形態に係る携帯電子機器１は、縦長長方形状の筐体７を有しており、筐体７の前面側に、筐体７の前面の面積より僅かに小さい面積のタッチパネル２及び表示部３が配置される。タッチパネル２は表示部３の前面側に重ねて配置される。
【００３２】
タッチパネル２は、パネル面に指示体（使用者の指やペン等であり、本実施の形態では“指”として扱うこととする）が触れることなく所定の範囲の高さでの操作（これを“ホバー操作”と呼ぶ）が可能な静電容量方式を採用したものである。タッチパネル２は、図示せぬ送信電極と受信電極とを備えており、これらが板状の誘電体の下面に離間して配置されている。送信電極には送信信号に基づく駆動パルスが印加される。これにより送信電極から電界が発生し、この電界中に指が入ると、送信電極と受信電極の間の電気力線の数が減少し、電気力線の数の変化が受信電極における電荷の変化として現れる。タッチパネル２は、受信電極における電荷の変化に応じた受信信号から指を検出し、検出した指の位置（Ｘ，Ｙ，Ｚ）を示す座標データを制御部６に出力する。
【００３３】
表示部３は、四角形状を成し、携帯電子機器１を操作するための表示や画像等の表示に使用される。表示部３には、ＬＣＤ（Liquid Crystal Display）、有機ＥＬ（Electro Luminescence）又は電子ペーパーが用いられる。記憶部５は、ＤＲＡＭ（Dynamic Random Access Memory）等の揮発性メモリを有し、使用者が携帯電子機器１を使用するうえでの設定を行った際にその設定状態を記憶する。
【００３４】
制御部６は、ＣＰＵ（Central Processing Unit）、ＲＯＭ（Read Only Memory）、ＲＡＭ（Random Access Memory）及びインタフェース回路で構成される。該ＲＯＭにはＣＰＵを制御するためのプログラムが記憶されており、該ＲＡＭはＣＰＵの動作において使用される。制御部６は、表示に関する動作のモードとして、表示部３に表示された画面全体を移動させるモード（このモードのことを、“表示変化モード”と呼ぶ）を有している。この表示変化モードは、タッチパネル２の所定領域に指を近づけたときに実行される。
【００３５】
図３は、表示部３の画面全体の移動を示す例である。指１０（後述）を表示変化Ｚ領域２６(後述)まで持ってくることで、所定の速さで画面全体が移動する。画面は少なくとも２つあるので、画面が切り替わるように見える。各画面には、少なくとも１個のアイコン（ここでは、図示略）が表示される。ここでは、表示部３の略全体に対して、表示変化Ｘ，Ｙ領域２０が設定されている。当然ながら、この表示変化Ｘ，Ｙ領域２０もタッチパネル２に対して設定される。
【００３６】
指１０を表示変化Ｘ，Ｙ領域２０の上空の表示変化Ｚ領域２６まで持ってくると、所定の速さで画面全体が移動する。図３の破線で示す矢印４０は画面の移動方向を示している。画面全体が移動している状態から、指１０をタッチパネル２に近づけて、表示変化停止Ｚ領域２７(後述)まで持ってくると、画面全体の移動が停止する。その後、指１０をタッチパネル２から遠ざけて、表示変化再開Ｚ領域２８(後述)まで持ってくると、画面全体の移動が再開する。また、指１０を表示変化停止Ｚ領域２７内から更に先に移動させて、タッチパネル２に触れるか触れる寸前にまで近づけると、指１０の前方にあるアイコンに対応付けられた機能を実行する。したがって、指１０を大きく動かすことなく離れた位置にあるアイコンを選択することができる。また、アイコンの数が増えても、指１０を表示変化Ｘ，Ｙ領域２０の上空でホバー操作するだけで、目的とするアイコンを選択することができるので、アイコンを選択するために指を動かす回数を削減することができる。
【００３７】
次に制御部６について詳細に説明する。
制御部６は、タッチパネル２より座標データ（Ｘデータ，Ｙデータ，Ｚデータ）を取得し、そのうちのＺデータより指の近接を判定し、残りのＸデータ及びＹデータより該指がタッチパネル２の表示変化Ｘ，Ｙ領域２０上にあるかどうか判定する。指がタッチパネル２の表示変化Ｘ，Ｙ領域２０上にある場合、該指とタッチパネル２との間の距離を判定する。そして、該距離が第１の距離以下であり、かつ、第１の距離より小さい第２の距離より大きい場合が所定の時間継続する場合、表示部３の表示変化Ｘ，Ｙ領域２０に対応する部分に表示する画面全体を所定の速さで移動させる。画面全体の移動は、指からタッチパネル２までの距離が、表示変化Ｘ，Ｙ領域２０において、第１の距離以下であり、かつ、第１の距離より小さい第２の距離より大きい範囲に存在している間継続する。その後、制御部６は、指からタッチパネル２までの距離が、第２の距離以下であり、かつ第２の距離より小さい第３の距離より大きくなった場合、画面全体の移動を停止させる。これにより、表示の変化が停止した後に、画面上のアイコン等を選択することが出来る。なお、制御部６は、計時機能を有しており、この計時機能によって上述した時間（所定の時間）の計測を行う。
【００３８】
図４は、タッチパネル２と指１０の位置関係を示す図である。同図において、タッチパネル２には、表示変化Ｘ，Ｙ領域２０が設定される。制御部６は、タッチパネル２から得られるＸ，Ｙ座標データより指示体である指１０がタッチパネル２の表示変化Ｘ，Ｙ領域２０上にあるかどうか判定する。指１０がタッチパネル２の表示変化Ｘ，Ｙ領域２０上にある場合、制御部６は、指１０とタッチパネル２との間の距離を判定する。そして、判定した距離が第１の距離以下であり、かつ、第１の距離より小さい第２の距離より大きい場合（図４に示す表示変化Ｚ領域２６内にある場合）、この表示変化Ｚ領域２６内に存在する状態が継続する時間を測定する。表示変化Ｚ領域２６内に存在する状態が所定時間以上継続した場合、制御部６は、表示部３の表示変化Ｘ，Ｙ領域２０に対応する部分に表示する画面全体を所定の速さで移動させる。
【００３９】
制御部６は、画面全体の移動を開始した後、再度、指１０とタッチパネル２との間の距離を判定する。そして、判定した距離が第２の距離以下であり、かつ第２の距離より小さい第３の距離より大きい場合（図４に示す表示変化停止Ｚ領域２７内にある場合）、画面全体の移動を停止させる。
【００４０】
制御部６は、画面全体の移動を停止させた後、指１０とタッチパネル２との間の距離を判定する。そして、判定した距離が第３の距離以下となった場合（指１０がタッチパネル２に触れるか触れる寸前まで近接した場合）、指１０の前方にあるアイコンに対応付けられた機能を実行する。
【００４１】
一方、制御部６は、画面全体の移動を停止させた後の距離判定において、判定した距離が第２の距離以上であり、かつ第１の距離以下である第４の距離より大きい場合（図４に示す表示変化再開Ｚ領域２８内にある場合、即ち指１０が表示変化停止Ｚ領域２７から表示変化Ｚ領域２６側に戻った場合）、画面全体の移動を再開させる。
【００４２】
なお、第３の距離は０（ゼロ）であっても良い（第３の距離が０（ゼロ）の場合とは、指１０がアイコンに接触した場合である）。
また、第４の距離は第２の距離と同じ距離であっても良い。
【００４３】
また、図３に示す例では、画面全体を表示部３の短手方向に移動させるようにしたが、表示部３の長手方向に移動させるようにしても構わない。
【００４４】
また、画面全体の表示変化速さは一定であっても良いし、緩急を付けた（離散的な）ものであっても良いし、さらに、連続的に変化するものであっても良い。図５は、画面全体の表示変化の速さの違いをパターン分けした例を示すグラフである。同図において、横軸は表示変化の速さ、縦軸はタッチパネル２と指示体（指１０）との間の距離である。パターン３１は表示変化の速さが一定のパターン、パターン３２は表示変化の速さが緩急の２段階で切替わるパターン、パターン３３は表示変化の速さが連続して変化するパターンである。特に、パターン３２は、第１の距離と第２の距離の中間部分の距離で最も速く（第２の速さ）、第１の距離での第１の速さと第２の距離での第３の速さが同じになるパターンである。即ち、表示変化の速さが緩急緩となるパターンである。また、パターン３３は、第１の距離では表示変化の速さがゼロ（０）であり、その後、第１の距離から第２の距離に向かうに従って徐々に速くなって、第１の距離と第２の距離の中間点で最大となり、それ以後、徐々に遅くなって、第２の距離でゼロ（０）となるパターンである。これにより変化の速さを、距離に応じて変化させることが出来るとともに、指等が、タッチパネルに近づくに伴って、低速、高速、低速の順で変化するので、唐突感の無い滑らかな速さの変化を提供することができる。
【００４５】
このように、指１０を表示変化Ｘ，Ｙ領域２０の上空の表示変化Ｚ領域２６まで持ってくると、表示部３の表示変化Ｘ，Ｙ領域２０に対応する部分に表示された画面全体が所定の速さで移動を開始し、その後、指１０をタッチパネル２に近づけて、表示変化停止Ｚ領域２７まで持ってくると、画面全体の移動が停止する。
その後、指１０をタッチパネル２から遠ざけて、表示変化再開Ｚ領域２８まで持ってくると、画面全体の移動が再開する。また、指１０を表示変化停止Ｚ領域２７内から更に先に移動させて、表示部３に表示されているアイコンに対応するタッチパネル２の部分に触れるか触れる寸前にまで近づけると、指先の前方にあるアイコンに対応付けられた機能を実行する。
【００４６】
次に、本実施の形態に係る携帯電子機器１の動作を説明する。
図６は、本実施の形態に係る携帯電子機器１における画面全体表示変化処理の基本的な動作を示すフローチャートである。同図において、制御部６は、タッチパネル２よりＸ，Ｙ，Ｚデータを取得する（ステップＳ１）。次いで、取得したＸ，Ｙ，Ｚデータより使用者の指１０が表示変化Ｘ，Ｙ領域２０で、かつ表示変化Ｚ領域２６に存在し、さらにその状態が所定時間継続しているかどうか判定する（ステップＳ２）。この判定において、当該条件に該当しない場合（即ち、「ＮＯ」と判定した場合）、ステップＳ１に戻り、当該条件に該当する場合（即ち、「ＹＥＳ」と判定した場合）、表示変化の速さを決定し（ステップＳ３）、決定した表示変化の速さで表示部３の表示変化Ｘ，Ｙ領域２０に対応する部分に表示された画面全体を移動させる（ステップＳ４）。この処理を実行した後、ステップＳ１に戻る。
【００４７】
このように本実施の形態に係る携帯電子機器１によれば、タッチパネル２の表示変化Ｘ，Ｙ領域２０の上空の表示変化Ｚ領域２６に存在する指１０を検出し、検出した指１０が当該領域に所定の時間継続して存在する場合、表示変化Ｘ，Ｙ領域２０に対応する部分に表示する画面全体を所定の速さで移動させ、その後、指１０がタッチパネル２により表示変化停止Ｚ領域２７に入ったことを検出すると、画面全体の移動を停止させ、その後、指１０がタッチパネル２から離れる方向に戻されて、表示変化再開Ｚ領域２８に入ったことを検出すると、画面全体の移動を再開させ、指１０がタッチパネル２に触れるか触れる寸前にまで近づいたことを検出すると、指１０の前方にあるアイコンに対応付けられた機能を実行するので、表示変化Ｘ，Ｙ領域２０を指１０が届く位置に設定することで、指１０を大きく動かすことなく離れた位置にあるアイコンを選択することができる。また、アイコンの数が増えても、指１０を表示変化Ｘ，Ｙ領域２０の上空でホバー操作するだけで、目的とするアイコンを選択することができるので、アイコンを選択するために指を動かす回数を削減することができる。
また、指１０を、タッチパネル２の所定の領域の上空の所定の距離範囲内に持って行っても、その状態を所定の時間継続する前に所定の距離範囲内を通過して、タッチパネル２に接近させる場合は、表示を移動させないことで、表示の移動をさせないで、直ぐにアイコン等を選択することも出来る。
【００４８】
なお、本実施の形態に係る携帯電子機器１では、図６のフローチャートで示す処理を記述したプログラムをＲＯＭに持たせたが、当該プログラムを、磁気ディスク、光ディスク、光磁気ディスク、フラッシュメモリ等の記憶媒体に格納して配布したり、インターネット等のネットワーク上のサーバ（図示略）に保存するようにして、電気通信回線を利用してダウンロードできるようにしたりすることも可能である。
【００４９】
また、本実施の形態に係る携帯電子機器１は、スマートフォンと呼ばれる携帯無線機に適用したものであったが、携帯無線機に限らず、電子レンジ等の家電や、自動車等のナビゲーション等の操作パネルでも適用可能である。
【産業上の利用可能性】
【００５０】
本発明は、指を大きく動かすことなく離れた位置にあるアイコンを選択することができるとともに、アイコンを選択するために指を動かす回数を削減することができるといった効果を有し、スマートフォン等の静電容量方式のタッチパネルを用いた携帯電子機器への適用が可能である。
【符号の説明】
【００５１】
１  携帯電子機器
２  タッチパネル
３  表示部
５  記憶部
６  制御部
７  筐体
１０  指
２０  表示変化Ｘ，Ｙ領域
２６  表示変化Ｚ領域
２７  表示変化停止Ｚ領域
２８  表示変化再開Ｚ領域
【図１】
2014081733.tif 000003
【図２】
2014081733.tif 000004
【図３】
2014081733.tif 000005
【図４】
2014081733.tif 000006
【図５】
2014081733.tif 000007
【図６】
2014081733.tif 000008